(57)【要約】【課題】地震等の災害発生時に、居住者が室内へ閉じ込められることを防止すると共に、意匠性を良好に保つことができる内部建具を得る。【解決手段】内部建具としてのドア１０は、枠状に形成され、建物内部の壁２に形成されたドア開口部４を開閉する本体部１２と、本体部１２の内周縁１４に嵌合して保持され、かつ、着脱可能とされる第１面材１６と、第２面材１８とを含んで構成されている。【選択図】図２
2019183550.tif 000002
【特許請求の範囲】
【請求項１】
枠状に形成され、建物内部の壁に形成された開口部を開閉する本体部と、
前記本体部の内周縁に嵌合した状態で保持され、かつ、着脱可能とされる複数の面材と、
を含む内部建具。
【請求項２】
前記本体部は、前記複数の面材に比べて剛性が低く設定されている、
請求項１に記載の内部建具。
【請求項３】
前記本体部は、前記複数の面材に比べて剛性が高く設定されている、
請求項１に記載の内部建具。
【請求項４】
前記複数の面材は、建物上下方向に並列配置され、少なくとも、前記本体部の上端部に嵌合された第１面材と、前記第１面材の下方側に並列配置される第２面材と、を含んで構成される、
請求項１〜請求項３のいずれか１項に記載の内部建具。
【請求項５】
前記第１面材は、前記第１面材を挟んで一方側の空間から他方側の空間の一部を視認可能に形成されている、
請求項４に記載の内部建具。
【請求項６】
前記第１面材の一部は、前記第１面材を挟んで一方側の空間と他方側の空間とを連通する通気部とされる、
請求項４又は請求項５に記載の内部建具。
【請求項７】
前記第１面材は、透かし彫りが施された装飾パネルにより構成される、
請求項４〜請求項６のいずれか１項に記載の内部建具。
【請求項８】
前記第２面材は、前記第１面材を前記本体部から取り外すことにより、着脱可能とされる、
請求項４〜請求項７のいずれか１項に記載の内部建具。
【請求項９】
前記複数の面材は、前記第１面材と、前記第２面材と、前記第２面材の下方側に並列配置される第３面材により構成され、
前記第１面材及び第３面材は、内部建具の厚み方向の一方向から押圧されることにより前記本体部から取り外すことが可能とされ、
前記第２面材は、前記第１面材と前記第３面材が前記本体部から取り外されることにより前記本体部に対して下方側に摺動可能とされ、かつ、前記本体部から取り外すことが可能とされる、
請求項４〜請求項８のいずれか１項に記載の内部建具。
【発明の詳細な説明】
【技術分野】
【０００１】
本発明は、内部建具に関する。
【背景技術】
【０００２】
地震発生などにより建物が歪むと、建物内部の壁に形成された開口部と、当該開口部を開閉する内部建具とが干渉し、内部建具の開閉操作ができないことがある。このような状況においては、居住者が建物内部の居室に閉じ込められて居室の外へ脱出することが出来ないおそれがある。
【０００３】
これに対して、下記特許文献１には、建物に形成された開口枠の吊元側の縦枠回りに開閉するドア本体が設置され、当該ドア本体の内周側には、ドア本体の吊元側に縦軸回りに開閉自在に支持される非常脱出扉が収納された非常脱出扉付きドアが開示されている。この先行技術によれば、ドア本体が開閉不能になった時、非常脱出扉をドア本体の吊元側の縦軸回りに回転させて開放させることで、住居者が室外へ脱出可能とされている。
【特許文献１】特開平１０−１４８０６７号公報
【発明の開示】
【発明が解決しようとする課題】
【０００４】
しかしながら、先行技術による場合、非常脱出扉がドア本体に保持されるために、ヒンジ等の別部材をドア本体に取り付ける必要がある。そのため、ドアの外観の意匠性が損なわれる場合がある。
【０００５】
本発明は、上記事実を考慮し、地震等の災害発生時に居住者が室内へ閉じ込められることを防止し、かつ、外観の意匠性を良好に保つことができる内部建具を得ることを目的とする。
【課題を解決するための手段】
【０００６】
第１の態様に係る内部建具は、枠状に形成され、建物内部の壁に形成された開口部を開閉する本体部と、前記本体部の内周縁に嵌合した状態で保持され、かつ、着脱可能とされる複数の面材と、を含んで構成されている。
【０００７】
第１の態様に係る内部建具では、内部建具は、枠状に形成された本体部と、当該本体部の内周縁に嵌合した状態で保持される複数の面材と、を含んで構成されている。これにより、ヒンジ等の別部材を用いることなく本体部に面材を保持させることができる。その結果、内部建具の構成を簡易なものとすることができる。また、ヒンジ等の別部材を用いて面材を保持する構成と比べて、内部建具の外観の意匠性を良好に保つことができる。
【０００８】
また、内部建具の本体部に保持された複数の面材は着脱可能とされている。このため、地震等の災害発生時に建物が歪み、内部建具の開閉操作ができない場合には、面材を本体部から取り外して脱出口を形成することができる。
【０００９】
さらに、地震等の災害発生時には、例えば、建物内の家具等が横転して内部建具の可動領域を塞ぎ、内部建具の開閉操作ができなくなる場合が想定される。ここで、本態様では、本体部に嵌合された面材を取り外すことで脱出口を形成することができる。このため、本体部に対して開閉操作が可能な面材を設ける場合と比べて、省スペースで脱出口を形成することができ、横転した家具等の障害物によって脱出口の形成が妨げられることを防止することができる。
【００１０】
このように、第１の態様に係る内部建具では、地震等の災害発生時に、居住者が室内へ閉じ込められることが防止される。
【００１１】
第２の態様に係る内部建具は、第１の態様に係る内部建具において、前記本体部は、前記複数の面材に比べて剛性が低く設定されている。
【００１２】
第２の態様に係る内部建具では、本体部の剛性を複数の面材に比べて低く設定することで、地震等の災害発生時に建物が歪み、建物内部に形成された開口部と内部建具の本体部が干渉すると、開口部と干渉する本体部の外周縁が変形される。これにより、建物の歪によって本体部の内周縁と面材が変形することが抑制され、本体部から面材を取り外すことができなくなることが防止される。その結果、地震等の災害発生時における内部建具の脱出機能が担保される。
【００１３】
第３の態様に係る内部建具は、第１の態様に係る内部建具において、前記本体部は、前記複数の面材に比べて剛性が高く設定されている。
【００１４】
第３の態様に係る内部建具では、本体部の剛性を複数の面材に比べて高く設定することで、地震等の災害発生時に建物が歪み、建物内部に形成された開口部と内部建具の本体部が干渉しても、本体部の内周縁と面材が変形することが抑制される。これにより、本体部から面材を取り外すことができなくなることが防止され、地震等の災害発生時における内部建具の脱出機能が担保される。さらに、内部建具が建物における高強度部となり、地震等の災害発生時に建物が歪むことを抑制することができる。
【００１５】
第４の態様に係る内部建具は、第１の態様〜第３の態様のいずれか１つに係る内部建具において、前記複数の面材は、建物上下方向に並列配置され、少なくとも、前記本体部の上端部に嵌合された第１面材と、前記第１面材の下方側に並列配置される第２面材と、を含んで構成されている。
【００１６】
第４の態様に係る内部建具では、複数の面材は、建物上下方向に並列配置され、少なくとも、前記本体部の上端部に嵌合された第１面材と、前記第１面材の下方側に並列配置される第２面材と、を含んで構成される。このため、横転した家具等の障害物によって内部建具の下端部近傍の領域が塞がれた場合であっても、複数の面材をドア幅方向に並列配置する場合と比べて、横転した家具等影の干渉を避けながら本体部から面材を取り外すことができる。これにより、簡単に脱出口を形成することができる。
【００１７】
第５の態様に係る内部建具は、第４の態様に係る内部建具において、前記第１面材は、前記第１面材を挟んで一方側の空間から他方側の空間の一部を視認可能に形成されている。
【００１８】
第５の態様に係る内部建具では、前記第１面材を挟んで一方側の空間にいる居住者が、他方側の空間の一部を視認することができる。これにより、地震等の災害発生時に内部建具の開閉操作ができなくなった場合でも、第１面材を通して他方側の様子を即座に把握することができる。また、通常時においても、内部建具を挟んで一方側の空間にいる居住者は、第１面材を介して他方側の空間への広がりを感じながら過ごすことができる。これにより、内部建具を閉止した状態の閉塞感が緩和され、建物内を開放感のある空間とすることができる。
【００１９】
第６の態様に係る内部建具は、第４の態様又は第５の態様に係る内部建具において、前記第１面材の一部は、前記第１面材を挟んで一方側の空間と他方側の空間とを連通する通気部とされている。
【００２０】
第６の態様に係る内部建具では、第１面材が通気部とされていることにより、内部建具の閉止状態においても内部建具を挟んで隣接した空間との通気性を確保することができる。これにより、建物内部の居住スペースにおけるプライバシー確保と快適性の向上を両立させることができる。また、地震等の災害発生時に、火災が２次災害として発生した場合に、第１面材が火災による煙の流路となることができる。これにより、煙を建物内部の上方側の空間に誘導することが促進され、居住者の生存領域となる下方側の空間を確保しやすくなる。
【００２１】
第７の態様に係る内部建具は、第４の態様〜第６の態様のいずれか１つに係る内部建具において、前記第１面材は、透かし彫りが施された装飾パネルにより構成されている。
【００２２】
第７の態様に係る内部建具では、第１面材が、透かし彫りが施された装飾パネルとされている。これにより、地震等の災害発生時に居住者が室内へ閉じ込められることを防止することができると共に、内部建具の意匠性を更に向上させることができる。
【００２３】
第８の態様に係る内部建具は、第４の態様〜第７の態様のいずれか１つに係る内部建具において、前記第２面材は、前記第１面材を前記本体部から取り外すことにより、着脱可能とされている。
【００２４】
第８の態様に係る内部建具では、横転した家具等の障害物によって内部建具の下端部近傍の領域が塞がれた場合に、本体部の上端部に嵌合された第１面材から確実に取り外すことができ、続いて第２面材の取り外しを行うことで容易に脱出口を形成することができる。
【００２５】
第９の態様に係る内部建具は、第４の態様〜第８の態様のいずれか１つに係る内部建具において、前記複数の面材は、前記第１面材と、前記第２面材と、前記第２面材の下方側に並列配置される第３面材により構成され、前記第１面材及び第３面材は、内部建具の厚み方向の一方向から押圧されることにより前記本体部から取り外すことが可能とされ、前記第２面材は、前記第１面材と前記第３面材が前記本体部から取り外されることにより前記本体部に対して下方側に摺動可能とされ、かつ、前記本体部から取り外すことが可能とされている。
【００２６】
第９の態様に係る内部建具では、  地震等の災害発生時に内部建具の開閉操作ができなくなった場合に、まず、第１面材及び第３面材を内部建具の厚み方向の一方側から押圧して本体部から取り外し、その後、第２面材を本体部に対して下方側に摺動可能とし、本体部から取り外すことができる。このため、簡単な手順により、脱出口を形成することができる。また、複数の面材を上方側へ持ち上げる作業を要しないで本体部から取り外すことができるため、脱出口を形成するための負担を抑制することができる。
【発明の効果】
【００２７】
以上説明したように、第１の態様に係る内部建具は、地震等の災害発生時に居住者が室内へ閉じ込められることを防止し、かつ、外観の意匠性を良好に保つことができるという優れた効果を有する。
【００２８】
第２の態様に係る内部建具は、本体部から面材を取り外すことができなくなることが防止され、地震等の災害発生時における内部建具の脱出機能を担保することができるという優れた効果を有する。
【００２９】
第３の態様に係る内部建具は、本体部から面材を取り外すことができなくなることが防止され、地震等の災害発生時における内部建具の脱出機能を担保することができると共に、建物が歪むことを抑制することができるという優れた効果を有する。
【００３０】
第４の態様に係る内部建具は、横転した家具等の障害物によって内部建具の下端部近傍の領域が塞がれた場合であっても、複数の面材をドア幅方向に並列配置する場合と比べて、横転した家具等の干渉を避けながら本体部から面材を取り外すことができるという優れた効果を奏する。
【００３１】
第５の態様に係る内部建具は、地震等の災害発生時に第１面材を通して他方側の様子を即座に把握することができると共に、通常時においても、建物内を開放感のある空間とすることができるという優れた効果を有する。
【００３２】
第６の態様に係る内部建具は、建物内部の居住スペースにおけるプライバシー確保と快適性の向上を両立させることができると共に、火災発生時に、第１面材によって煙を建物内部の上方側の空間に誘導することが促進され、居住者の生存領域となる下方側の空間を確保しやすくなるという優れた効果を有する。
【００３３】
第７の態様に係る内部建具は、地震等の災害発生時に居住者が室内に閉じ込められることを防止すると共に、内部建具の意匠性を更に向上させることができるという優れた効果を有する。
【００３４】
第８の態様に係る内部建具は、横転した家具等の障害物によって内部建具の下端部近傍の領域が塞がれた場合に、本体部の上端部に嵌合された第１面材から確実に取り外すことができ、続いて第２面材の取り外しを行うことで容易に脱出口を形成することができるという優れた効果を有する。
【００３５】
第９の態様に係る内部建具は、簡単な手順により、脱出口を形成することができると共に、脱出口を形成するための負担を抑制することができるという優れた効果を有する。
【図面の簡単な説明】
【００３６】
【図１】第一実施形態に係る内部建具を建物内部の壁に形成された開口部に組み付けた状態を概略的に示す概略正面図である。
【図２】図１に示される内部建具の分解斜視図である。
【図３】図１に示される内部建具の一部を切り欠いて、内部建具の内部構造を概略的に示す正面図である。
【図４】（Ａ）は、図１の４Ａ−４Ａ線に沿って切断した状態を概略的に示す概略断面図であり、（Ｂ）は、図１の４Ｂ−４Ｂ線に沿って切断した状態を概略的に示す概略断面図であり、（Ｃ）は、図１の４Ｃ−４Ｃ線に沿って切断した状態を概略的に示す概略断面図である。
【図５】図１に示される内部建具の第１面材の変形例を示す図である。
【図６】第２実施形態に係る内部建具の一部を切り欠いて、内部建具の内部構造を概略的に示す、図３に対応する正面図である。
【図７】第３実施形態に係る内部建具を建物内部の壁に形成された開口部に組み付けた状態を概略的に示す、図１に対応する概略正面図である。
【図８】図７に示される内部建具の分解斜視図である。
【図９】（Ａ）は、図７の９Ａ−９Ａ線に沿って切断した状態を概略的に示す概略断面図であり、（Ｂ）は、図７の９Ｂ−９Ｂ線に沿って切断した状態を概略的に示す概略断面図であり、（Ｃ）は、図７の９Ｃ−９Ｃ線に沿って切断した状態を概略的に示す概略断面図である。
【発明を実施するための形態】
【００３７】
（第１実施形態）
以下、図１〜図５を用いて、第１実施形態に係るドア１０について説明する。
【００３８】
（全体構成）
【００３９】
図１には、ドア１０を建物内部の壁２に形成されたドア開口部４に組み付けた状態を廊下８側から見て示す正面図が示されている。一例として、壁２は、建物内部の居室６と廊下８とを間仕切りする間仕切壁とされている。また、壁２には正面視で鉛直方向を長手方向とする略矩形状の開口部５が形成されており、この開口部５にドア枠２０が固定されることにより、ドア開口部４が形成されている。
【００４０】
ドア枠２０は、開口部５の長辺に固定される一対の縦枠２０Ａ、２０Ｂと、開口部５の上方側の短辺に固定される横枠２０Ｃと、から構成されている。本実施形態では、縦枠２０Ｂの上端部と下端部に図示しないヒンジが固定されており、当該ヒンジを介して縦枠２０Ｂの長手方向を軸方向としてドア１０が回転可能に支持されている。なお、本実施形態では、廊下８側にいる居住者が、ドア１０を手前に引いて回転させることで、ドア開口部４を開放可能とされている。
【００４１】
ドア１０は、枠状に形成された本体部１２と、本体部１２の内周縁１４に嵌合して保持され、かつ、着脱可能とされる第１面材１６及び第２面材１８と、を備えている。なお、ドア開口部４が本発明における「開口部」に相当し、ドア１０が本発明における「内部建具」に相当する。また、第１面材１６及び第２面材１８が本発明における「複数の面材」に相当する。
【００４２】
（本体部１２の構成）
【００４３】
図２に示されるように、本体部１２は、ドア１０の外周部を構成しており、正面視で鉛直方向を長手方向とする略矩形枠状に形成されている。この本体部１２の内周縁１４には、後述する第１面材１６と第２面材１８とが着脱可能に嵌合されている。
【００４４】
図１に示されるように、本体部１２のドア幅方向両側部における縦枠２０Ｂと対向して配置された一方側は、図示しない一対のヒンジを介して縦枠２０Ｂに支持されている。また、縦枠２０Ａと対向して配置された他方側には、長手方向の中間部にドア１０の開閉操作を行うレバーハンドル２２が取り付けられている。なお、本体部１２の長手方向の寸法は、縦枠２０Ａ、２０Ｂの長手方向の寸法よりも若干短く設定されている。そして、本体部１２の下端部を床面３から若干浮かせた位置に配置させることで、本体部１２の下端部と床面３との間に所謂ドアアンダーカットと称される隙間２４が形成されている。
【００４５】
図３に示されるように、本体部１２は、一例として、本体部１２の外周縁を構成する矩形枠状の外周フレーム３０と、外周フレーム３０の内側に配置され、本体部１２の内周縁（内周縁１４）を構成する矩形枠状の内周フレーム３２を備えている。外周フレーム３０と内周フレーム３２とは、複数の中桟３４によって連結されている。また、外周フレーム３０と内周フレーム３２と中桟３４とによって区画される内部空間には、ウレタン製とされた剛性の低い芯材３６が収容されている。さらに、本体部１２における居室６側に面した側面と、廊下８に面した側面は、薄板状の表面材３８で覆われている（図４参照）。なお、上記した外周フレーム３０と、内周フレーム３２と、中桟３４と、表面材３８とは、一例として木製とされている。
【００４６】
このように、本体部１２の構造は、木製のフレーム部材の内部に剛性の低い芯材３６が収容された構造とされている。このため、本体部１２の剛性は、無垢材により構成される後述する第１面材１６及び第２面材１８の剛性と比べて低く設定されている。なお、芯材３６を、パルプ材等、他の剛性の低い芯材によって構成してもよい。
【００４７】
図３に示されるように、内周フレーム３２は、正面視で幅方向両側部を構成する縦フレーム３２Ａ、３２Ｂと、縦フレーム３２Ａ、３２Ｂの長手方向の上端部間を連結する上フレーム３２Ｃと、縦フレーム３２Ａ、３２Ｂの長手方向の下端部間を連結する下フレーム３２Ｄと、によって構成されている。
【００４８】
図２及び図４（Ｃ）に示されるように、縦フレーム３２Ａ、３２Ｂには、長手方向の下端部に内周縁１４の内側に向かって凸をなす側面突出部４０がそれぞれ形成されおり、ドア幅方向に沿って対向するように配置されている。この側面突出部４０は平板状とされ、正面視で鉛直方向を長手方向とする長尺形状とされている。
【００４９】
一方、図２及び図４（Ａ）に示されるように、上フレーム３２Ｃには、鉛直下方側に凸をなす上突出部４２が形成されている。上突出部４２は、上フレーム３２Ｃにおけるドアの厚み方向の内側端部（居室６側の端部）に形成されている。従って、上フレーム３２Ｃのドアの厚み方向に沿った断面形状は、廊下８側、かつ、鉛直下方側に開口した略Ｌ字形状とされている。換言すると、上フレーム３２Ｃには、廊下８側に面した端部から居室６側に面した端部にかけて鉛直下方側へ降下する段差部が形成されている。
【００５０】
一方、下フレーム３２Ｄには、鉛直下方側に凹をなす下溝部４４が形成されている。下溝部４４は、下フレーム３２Ｄのドア幅方向略中央部に設けられ、平面視でドア幅方向を長手方向とする長尺形状とされている。
【００５１】
（第１面材１６の構成）
【００５２】
図２に示されるように、第１面材１６は、板状体として構成され、一例として、無垢材とされている。具体的には、第１面材１６は、正面視でドア幅方向を長手方向とする略矩形状の板体からなる平板部１６Ａを備えている。また、平板部１６Ａの上端部、かつ、ドア幅方向における外側端部(廊下８側端部）には、鉛直上方側に凸をなす上フランジ部１６Ｂが形成されている。さらに、平板部１６Ａの下端部、かつ、ドア幅方向における外側端部(廊下８側端部）には、鉛直下方側に凸をなす下フランジ部１６Ｃが形成されている。従って、第１面材１６のドアの厚み方向に沿った断面形状は、居室６側に凸をなす略ハット形状とされている。
【００５３】
ここで、図４（Ａ）に示されるように、第１面材１６をドア１０に組み付けた状態では、上フランジ部１６Ｂは、本体部１２の上突出部４２に嵌合されている。一方、下フランジ部１６Ｃは、後述する第２面材１８の中間突出部１８Ｂに嵌合されている。
【００５４】
なお、第１面材１６は、本体部１２に後述する第２面材１８を取り付けた後に、本体部１２の内周縁１４の上方側に形成される略矩形状の開口部に対し、廊下８側から挿入される。ここで、第１面材１６の寸法は、当該開口部の寸法より若干大きく設定されている。このため、第１面材１６は、第２面材１８が嵌合された状態の本体部１２に廊下８側から圧入されている。
【００５５】
また、第１面材１６が本体部１２に取り付けられた状態では、第１面材１６の上フランジ部１６Ｂと本体部１２の上突出部４２とが当接し、かつ、第１面材１６の下フランジ部１６Ｃと第２面材１８の中間突出部１８Ｂとが当接する位置で第１面材１６の居室６側への移動が規制される。これにより、第１面材１６は、居室６側から押圧荷重を加えない限り、本体部１２から取り外すことができない構成とされている。
【００５６】
このように、第１面材１６は、本体部１２の上端部と、本体部１２のドア幅方向の両側部と、第２面材１８の上端部と、に嵌合され、本体部１２に保持されている。
【００５７】
なお、第１面材１６は無垢材とされる構成に限らず、一例として図５（Ａ）〜（Ｃ）に示されるように、様々な態様を採用することができる。
【００５８】
例えば、図５（Ａ）に示されるように、第１面材１６を、正面視で略矩形状のフレーム９０と、このフレーム９０内側に保持される透明のパネル部材９２と、によって構成してもよい。当該構成によれば、第１面材１６を挟んで一方側の空間から他方側の空間の一部を視認可能に形成されている。パネル部材９２は、一例としてガラス製として構成されている。なお、パネル部材９２を樹脂製として構成してもよい。
【００５９】
また、図５（Ｂ）に示されるように、第１面材１６を、所謂ガラリと称される通風部材としてのガラリ９４として構成してもよい。一例として、ガラリ９４は、正面視で略矩形状のフレーム９６と、フレーム９６の内側にドア幅方向に沿って長尺形状をなす複数の板体９８が架け渡されている。また、複数の板体９８は鉛直方向に沿って所定の間隔を空けて配置されているため、隣接する板体９８の隙間から、第１面材１６を挟んで一方側の空間と他方側の空間とが連通されている。
【００６０】
また、図５（Ｃ）に示されるように、第１面材１６を、格子状に形成された格子網１００をして構成してもよい。この場合であっても、第１面材１６を挟んで一方側の空間から他方側の空間の一部を視認可能に形成されていると共に、第１面材１６を挟んで一方側の空間と他方側の空間とが連通されている。
【００６１】
その他、図示はしないが、第１面材１６を、正面視略矩形状のパネル部材に透かし彫りを施した装飾パネルにより構成してもよい。当該構成においても、図５（Ａ）〜（Ｃ）に示される変形例と同様第１面材１６を挟んで一方側の空間から他方側の空間の一部を視認可能に形成されていると共に、第１面材１６を挟んで一方側の空間と他方側の空間とが連通されている。
【００６２】
（第２面材１８の構成）
【００６３】
図１及び図４（Ａ）に示されるように、第２面材１８は、第１面材１６の下方側に並列配置されており、本体部１２の内周縁１４に嵌合されている。なお、本実施形態では、本体部１２に第１面材１６及び第２面材１８が組み付けられた状態では、本体部１２と第１面材１６及び第２面材１８は略面一となるように構成されている。
【００６４】
図２に示されるように、第２面材１８も第１面材１６と同様に板状体として構成され、一例として、無垢材とされている。第２面材１８は、正面視で鉛直方向を長手方向とする略矩形状の板体からなる平面部１８Ａを備えている。また、平面部１８Ａの上端部には、鉛直上方側に凸をなす中間突出部１８Ｂが形成されている。中間突出部１８Ｂは、第２面材１８におけるドアの厚み方向の内側端部（居室６側の端部）に形成されている。従って、第２面材１８の上端部は、ドアの厚み方向に沿った側面視で、廊下８側、かつ、鉛直上方側に開口した略Ｌ字形状とされている。換言すると、第２面材１８の上端部には、廊下８側に面した端部から居室６側に面した端部にかけて鉛直上方側へ上昇する段差部が形成されている。
【００６５】
また、上記した通り、第１面材１６及び第２面材１８をドア１０に組み付けた状態では、中間突出部１８Ｂに第１面材１６の下フランジ部１６Ｃが嵌合されている（図４（Ａ）参照）。
【００６６】
一方、図２及び図４（Ｃ）に示されるように、平面部１８Ａにおけるドア幅方向左右の側部、かつ、下端部には、平面部１８Ａの内側に向かって凸をなすスリット状の切欠き部１８Ｃがそれぞれ形成されている。切欠き部１８Ｃは、ドアの厚み方向に沿った側面視で、鉛直方向を長手方向とする長尺形状とされている。また、当該側面視において、鉛直下方側に開放された略コ字形状とされている。
【００６７】
また、図２に示されるように、上記した一対の切欠き部１８Ｃ、１８Ｃは、本体部１２を構成する内周フレーム３２に設けられた一対の側面突出部４０、４０に対応して配置されている。そして、第２面材１８を本体部１２に組み付けた状態では、切欠き部１８Ｃの下端部から側面突出部４０が挿入されて嵌合する構成とされている。これにより、第２面材１８のドア幅方向両側部が、本体部１２のドア幅方向両側部に保持される。
【００６８】
一方、図２に示されるように、平面部１８Ａの下端部には、鉛直下方へ向かって凸をなす下突出部１８Ｄが形成されている。下突出部１８Ｄは、平面部１８Ａのドア幅方向略中央部、かつ、下端部に設けられ、平面視でドア幅方向を長手方向とする長尺形状とされている。
【００６９】
図４（Ａ）に示されるように、下突出部１８Ｄは、本体部１２を構成する内周フレーム３２に設けられた下溝部４４に対応しており、第２面材１８を本体部１２に組み付けた状態では、下溝部４４に下突出部１８Ｄが挿入されて、嵌合する構成とされている。これにより、第２面材の下端部が本体部１２の下端部に保持される。
【００７０】
なお、第２面材１８の切欠き部１８Ｃに挿入される側面突出部４０は、ドアの厚み方向における寸法が、切欠き部１８Ｃの寸法より若干小さく設定されている。また、本体部１２の下溝部４４に挿入される下突出部１８Ｄは、ドアの厚み方向における寸法が、下溝部４４の寸法より若干小さく設定されている。このため、本体部１２から第１面材１６を取り外して第２面材１８を鉛直上方へ引き上げると、第２面材１８は側面突出部４０に支持されながら本体部１２に対して摺動する構成とされている。そして、第２面材１８が所定の高さまで移動されると、切欠き部１８Ｃと側面突出部４０との嵌合状態が解除されると共に、下溝部４４と下突出部１８Ｄとの嵌合状態が解除される。これにより、第２面材１８を本体部１２から取り外すことができる構成とされている。
【００７１】
（作用・効果）
【００７２】
次に、第１実施形態の作用並びに効果について、説明する。
【００７３】
本実施形態に係る内部建具としてのドア１０は、枠状に形成され、建物内部の壁に形成されたドア開口部４を開閉する本体部１２と、本体部１２の内周縁１４に嵌合して保持され、かつ、着脱可能とされる第１面材１６と第２面材１８と、を含んで構成されている。
【００７４】
図１及び図２に示されるように、第１面材１６及び第２面材１８は、ヒンジ等の別部材を用いることなく本体部１２に保持されている。このため、ドア１０の構成を簡易なものとすることができる。また、ヒンジ等の別部材を用いて第１面材１６及び第２面材１８を保持する構成と比べて、ドア１０の外観の意匠性を良好に保つことができる。
【００７５】
さらに、地震等の災害発生時にドア１０の開閉操作ができなくなった場合には、まず、居室６側から第１面材１６を押圧し、本体部１２から取り外した後、第２面材１８を鉛直上方側に引き上げることにより、本体部１２から取り外すことができる。これにより、簡単な手順によって脱出口を形成することができ、居室６内に住居者が閉じ込められることを防ぐことができる。
【００７６】
さらに、地震発生時には、建物内の家具等が横転してドア１０の可動領域を塞ぎ、内部建具の開閉操作ができなくなる場合が想定される。本実施形態においては、廊下８側で家具等が横転し、ドア１０の近傍が塞がれ、ドア１０を解放状態にすることができなくなる場合である。この際、例えば、本体部１２の内周縁のドア幅方向両側部の一方側を軸として、本体部１２に対してドアの厚み方向に回転可能に固定される面材を設ける構成とすると、横転した家具等の障害物によって面材の可動領域も塞がれるため、脱出口を形成することができない。これに対し、本実施形態にでは、第１面材１６及び第２面材１８は本体部１２に嵌合されて保持されているため、嵌合状態を解除することで本体部１２から取り外すことができる。このため、第１面材１６及び第２面材１８の可動域を確保する必要がなく、省スペースで脱出口を形成することができる。その結果、横転した家具等の障害物によって脱出口の形成が妨げられることを防止することができる。
【００７７】
また、本実施形態のドア１０では、ドア１０の外周部を構成する本体部１２の剛性が、本体部１２の内側に収容される第１面材１６及び第２面材１８の剛性に比べて低く設定されている。これにより、建物の歪によって本体部１２の内周縁１４と第１面材１６及び第２面材１８が変形することが抑制され、本体部１２から第１面材１６及び第２面材１８を取り外すことができなくなることが防止される。
【００７８】
すなわち、地震等の災害発生時に建物が歪むと、建物内部に形成されたドア開口部４が変形され、ドア１０の本体部１２と干渉する状態となる。この際、例えば、本体部１２と、第１面材１６及び第２面材１８の剛性が同一となるように構成すると、建物側からの荷重入力により本体部１２が変形すると、本体部１２を介して第１面材１６及び第２面材１８にも荷重が入力される。この場合、第１面材１６及び第２面材１８も本体部１２と同様に変形し、内周縁１４から取り外せなくなるおそれがある。これに対し、本実施形態では、本体部１２の剛性を第１面材１６及び第２面材１８の剛性に比べて低く設定しているため、建物側から本体部１２に荷重が入力されると、本体部１２の外周縁が変形される。これにより、本体部１２の内周縁及び第１面材１６、第２面材１８に荷重が入力されることが抑制される。その結果、第１面材１６及び第２面材１８の変形を防止し、本体部１２から取り外せなくなることが防止される。その結果、地震等の災害発生時におけるドア１０の脱出機能が担保される。
【００７９】
また、第１面材１６、第２面材１８は、ドア１０の上下方向に並列配置され、本体部１２に嵌合されている。具体的には、第１面材１６が本体部１２の上端部に嵌合されており、第２面材１８が第１面材１６の下方側に配置されている。このため、横転した家具等の障害物によってドア１０の下端部近傍の領域が塞がれた場合であっても、横転した家具等影の干渉を避けながら本体部１２から第１面材１６及び第２面材１８を取り外すことができる。その結果、容易に脱出口を形成することができる。
【００８０】
すなわち、横転した家具等の障害物によってドア１０の下端部近傍の領域が塞がれた場合に、本体部１２の内周縁１４に嵌合される複数の面材がドア幅方向に並列配置される構成とすると、各面材がドア１０の下方側で家具等の障害物と干渉するおそれがある。このため、各面材を本体部１２から取り外す作業に影響を与えかねない。これに対し、本実施形態では、第１面材１６、第２面材１８が、ドア１０の上下方向に並列配置される構成とされる。このため、ドア１０の上方側に配置された第１面材１６はドア１０の下方側の領域を塞ぐ障害物の干渉を受けないため、本体部１２から容易に取り外すことができる。これにより、簡単に脱出口を形成することができる。
【００８１】
また、本実施形態では、第１面材１６のデザインを適宜設定することによりドア１０の防災機能を向上させると共にドア１０の意匠性を向上させることができる。
【００８２】
例えば、図５（Ａ）に示されるように、第１面材１６一部を、透明のパネル部材９２によって構成することにより、第１面材１６を挟んで一方側の空間から他方側の空間の一部を視認可能に形成されている。これにより、地震等の災害発生時にドア１０の開閉操作ができなくなった場合でも、第１面材１６を通して他方側の様子を即座に把握することができる。また、通常時においても、居室６にいる居住者は、第１面材１６を介して廊下８側の空間への広がりを感じながら過ごすことができる。これにより、ドア１０を閉止した状態の閉塞感が緩和され、建物内を開放感のある空間とすることができる。
【００８３】
さらに、図５（Ｂ）に示されるように、第１面材１６を、ガラリ９４として構成することにより、第１面材１６を挟んで一方側の空間と他方側の空間とが連通されている。当該構成によれば、ドア１０の閉止状態においても居室６と廊下８との間の通気性を確保することができる。これにより、建物内部の居住スペースにおけるプライバシー確保と快適性の向上を両立させることができる。また、地震等の災害発生時に火災が２次災害として発生した場合に、第１面材１６が火災による煙の流路となることができる。これにより、煙を建物内部の上方側の空間に誘導することが促進され、居住者の生存領域となる下方側の空間を確保しやすくなる。
【００８４】
さらに、図５（Ｃ）に示されるように、第１面材１６を、格子状に形成された格子網１００とすることにより、第１面材１６を挟んで一方側の空間から他方側の空間の一部を視認可能に形成されていると共に、第１面材１６を挟んで一方側の空間と他方側の空間とが連通されている。よって、上記した図５（Ａ）及び（Ｂ）に示される構成と同様の効果を発揮することができる。
【００８５】
さらに、第１面材１６を、正面視略矩形状のパネル部材に透かし彫りを施した装飾パネルにより構成することにより、第１面材１６を挟んで一方側の空間から他方側の空間の一部を視認可能に形成されていると共に、第１面材１６を挟んで一方側の空間と他方側の空間とが連通されている。よって、上記した図５（Ａ）〜（Ｃ）に示される変形例と同様の効果を発揮することができる。また、ドア１０の意匠性を更に向上させることができる。
【００８６】
また、本実施形態では、第２面材１８は、第１面材１６を本体部１２から取り外すことによって、本体部１２に対して鉛直上方へ摺動可能とされ、第２面材１８を所定の高さまで引き上げると本体部１２から取り外すことができる構成とされている。すなわち、第２面材１８は、第１面材１６を本体部１２から取り外すことにより、着脱可能とされている。これにより、横転した家具等の障害物によってドア１０の下端部近傍の領域が塞がれた場合に、本体部１２の上端部に嵌合された第１面材１６から確実に取り外すことができ、続いて第２面材１８の取り外しを行うことで簡単に脱出口を形成することができる。
【００８７】
さらに、本実施形態では、第１面材１６及び第２面材１８が本体部１２から容易に着脱可能とされる。これにより、各面材のデザインを容易に変更することができるため、本体部１２の汎用性を高めると共に、ドア１０の意匠性を向上させることが可能となる。
【００８８】
（第２実施形態）
以下、図６に基づいて第２実施形態に係るドア４６について説明する。なお、前述した第１実施形態と同一構成部分については、同一番号を付してその説明を省略する。この第２実施形態においては、ドア４６の本体部１２の剛性が、第１面材１６及び第２面材１８と比べて高く設定されている点が第１実施形態と異なる。なお、ドア４６が本発明における「内部建具」に相当し、第１面材１６及び第２面材１８が本発明における「複数の面材」に相当する。
【００８９】
この図に示されるように、ドア４６の外周部を構成する本体部１２は、本体部１２の外周縁を構成する矩形枠状の外周フレーム３０と、外周フレーム３０の内側に配置され、本体部１２の内周縁（内周縁１４）を構成する矩形枠状の内周フレーム３２を備えている。外周フレーム３０と内周フレーム３２とは、複数の中桟３４によって連結されている。また、外周フレーム３０と、内周フレーム３２と、中桟３４と、で区画される内部空間には、鋼板等の金属製とされる剛性の高い芯材４８が収容されている。そして、本体部１２の内周縁１４には、無垢材からなる第１面材１６及び第２面材１８が嵌合され、保持されている。これにより、本体部１２の剛性が、第１面材１６及び第２面材１８と比べて高く設定されている。
【００９０】
（作用・効果）
【００９１】
次に、第２実施形態の作用並びに効果について説明する。
【００９２】
本実施形態に係るドア４６は、本体部１２の剛性が、第１面材１６及び第２面材１８と比べて高く設定されている。当該構成によれば、本体部１２の剛性を複数の面材に比べて高く設定することで、地震等の災害発生時に建物が歪み、建物内部に形成されたドア開口部４とドア４６の本体部１２が干渉しても、本体部１２の内周縁１４と第１面材１６及び第２面材１８が変形することが抑制される。これにより、本体部１２から第１面材１６及び第２面材１８を取り外すことができなくなることが防止される。その結果、地震等の災害発生時におけるドア４６の脱出機能が担保される。
【００９３】
さらに、当該構成によれば、本体部１２が建物における高強度部となり、地震等の災害発生時に建物が歪むことを抑制することができる。
【００９４】
（第３実施形態）
以下、図７〜図９に基づいて第３実施形態に係るドア５０について説明する。なお、前述した第１実施形態と同一構成部分については、同一番号を付してその説明を省略する。この第３実施形態においては、ドア５０の本体部１２の内周縁１４に、上述した第１面材１６と、第２面材５２と、第３面材５４とが嵌合して保持される点が第１実施形態と異なる。なお、ドア５０が本発明における「内部建具」に相当し、第１面材１６と、第２面材５２と、第３面材５４が本発明における「複数の面材」に相当する。
【００９５】
図７に示されるように、第１面材１６、第２面材５２、第３面材５４は、鉛直上方側から下方側へこの順に並列配置されている。そして、本体部１２の内周フレーム３２に嵌合されている。
【００９６】
図７に示されるように、本体部１２の内周フレーム３２を構成する縦フレーム３２Ａ、３２Ｂの長手方向の中間部には、内周縁１４の内側に向かって凸をなす側面突出部５６がそれぞれ形成されおり、ドア幅方向に沿って対向するように配置されている。側面突出部５６は平板状とされ、正面視で鉛直方向を長手方向とする長尺形状とされている。
【００９７】
また、内周フレーム３２を構成する下フレーム３２Ｄに、鉛直上方側に凸をなす突出部５８が形成されている。突出部５８は、下フレーム３２Ｄにおけるドアの厚み方向の内側端部（居室６側の端部）に形成されている。従って、下フレーム３２Ｄのドアの厚み方向に沿った断面形状は、廊下８側、かつ、鉛直上方側に開口した略Ｌ字形状とされている。換言すると、下フレーム３２Ｄには、廊下８側に面した端部から居室６側に面した端部にかけて鉛直上方側へ上昇する段差部が形成されている。なお、内周フレーム３２を構成する上フレーム３２Ｃは第１実施形態と同様の構成であるため、記載を省略する。
【００９８】
図７に示されるように、第２面材５２は、板状体として構成され、一例として、無垢材とされている。具体的には、第２面材５２は、正面視でドア幅方向を長手方向とする略矩形状の板体からなる平面部５２Ａを備えている。また、平面部５２Ａの上端部、かつ、ドア幅方向における内側端部(居室６側端部）には、鉛直上方側に凸をなす突出部５２Ｂが形成されている。さらに、平面部５２Ａの下端部、かつ、ドア幅方向における内側端部(居室６側端部）には、鉛直下方側に凸をなす突出部５２Ｃが形成されている。従って、第２面材５２のドアの厚み方向に沿った断面形状は、廊下８側に凸をなす略ハット形状とされている。
【００９９】
また、第２面材５２のドア幅方向左右の側部、かつ、上端部には、平面部５２Ａの内側に向かって凸をなすスリット状の切欠き部５２Ｄがそれぞれ形成されている。切欠き部５２Ｄは、突出部５２Ｂの上端部から鉛直下方側へ形成されており、ドアの厚み方向に沿った側面視で、鉛直方向を長手方向とする長尺形状とされている。また、当該側面視において、鉛直上方側に開放された略コ字形状とされている。
【０１００】
図８（Ｃ）に示されるように、当該一対の切欠き部５２Ｄ、５２Ｄは、上記した内周フレーム３２の一対の側面突出部５６、５６に対応して配置されている。そして、第２面材５２を本体部１２に組み付けた状態では、第２面材５２の上端部から一対の側面突出部５６、５６が一対の切欠き部５２Ｄ、５２Ｄに挿入されて嵌合する構成とされている。これにより、第２面材５２ドア幅方向両側部が、本体部１２のドア幅方向両側部に保持されている。なお、第２面材５２の切欠き部５２Ｄに挿入される側面突出部５６は、ドアの厚み方向における寸法が、切欠き部５２Ｄの寸法より若干小さく設定されている。このため、本体部１２から第３面材５４を取り外すと、第２面材５２は、側面突出部５６に支持されながら本体部１２に対して鉛直下方へ摺動する構成とされている。そして、第２面材５２が所定の高さま降下すると、切欠き部５２Ｄと側面突出部５６との嵌合状態が解除される。これにより、第２面材５２を本体部１２から取り外すことができる構成とされている。
【０１０１】
なお、第３面材５４は上述した第１実施形態の第１面材１６と同様に、無垢材からなる板状体として構成され、正面視でドア幅方向を長手方向とする略矩形状の板体からなる平板部５４Ａを備えている。また、平板部５４Ａの上端部、かつ、ドア幅方向における外側端部(廊下８側端部）には、鉛直上方側に凸をなす上フランジ部５４Ｂが形成されている。さらに、平板部５４Ａの下端部、かつ、ドア幅方向における外側端部(廊下８側端部）には、鉛直下方側に凸をなす下フランジ部５４Ｃが形成されている。
【０１０２】
なお、本体部１２に第２面材５２が嵌合された状態では、本体部１２の内周縁１４には、第２面材５２を挟んで上下方向の両側に略矩形状の開口部が形成される。そして、第２面材５２の上方側の開口部に、廊下８側から第１面材１６が圧入されている。一方、第２面材５２の下方側の開口部に、廊下８側から第３面材５４が圧入されている。
【０１０３】
上記構成によれば、第１面材１６及び第３面材５４を上記した各開口部に廊下８側から挿入すると、第１面材１６は、上フランジ部１６Ｂと本体部１２の上突出部４２とが当接し、かつ、下フランジ部１６Ｃと第２面材５２の突出部５２Ｂとが当接する位置で第１面材１６の居室６側への移動が規制される。一方、第３面材５４は、上フランジ部５４Ｂと第２面材５２の突出部５２Ｃとが当接し、かつ、下フランジ部５４Ｃと本体部１２の突出部５８とが当接する位置で第３面材５４の居室６側への移動が規制される。これにより、第１面材１６及び第３面材５４は、居室６側（ドアの厚み方向の一方向）から押圧荷重を与えない限り、本体部１２から取り外すことができない構成とされている。
【０１０４】
さらに、上述した通り、第２面材５２は、第２面材５２の下方側に配置された第３面材５４を本体部１２から取り外した状態とすることを条件として、本体部１２から取り外すことができる。
【０１０５】
（作用・効果）
【０１０６】
次に、第３実施形態の作用並びに効果について説明する。
【０１０７】
本実施形態に係るドア５０は、本体部１２の内周縁１４に、第１面材１６、第２面材５２、第３面材５４が本体部１２の上端部から下方側へこの順に並列配置されている。また、地震等の災害発生時にドア５０の開閉操作ができなくなった場合には、まず、第１面材１６及び第３面材５４を居室６側から押圧して、本体部１２から取り外す。すると、第２面材５２が本体部１２に対して鉛直下方へ摺動する。そして、第２面材５２が所定の高さまで降下すると、切欠き部５２Ｄと側面突出部５６との嵌合状態が解除され、第２面材５２を本体部１２から取り外すことができる。このように、本実施形態では、簡単な手順により、脱出口を形成することができる。また、第１面材１６及び第３面材５４を居室６側から押圧するという手順は、居住者が自重を利用して行えるものであり、第２面材５２を本体部１２に対して鉛直下方へ摺動させる手順は第２面材５２の自重を利用して行うことができる。このため、本体部１２から各面材を取り外す際の作業負担が少ない。そのため、子供や、女性、高齢者であっても容易に脱出口を形成することができる。
【０１０８】
（上記実施形態の補足説明）
【０１０９】
上記した第１実施形態〜第３実施形態の第１面材１６と、第３実施形態の第３面材５４は、居室６側から押圧することにより本体部１２から取り外すことができる構成としたが本発明はこれに限らない。廊下８側から押圧することにより、本体部１２から取り外すことができる構成としてもよい。
【０１１０】
また、上記した第１実施形態〜第３実施形態では、複数の面材がドア１０、４６、５０の上下方向に並列配置される構成としたが本発明はこれに限らない。複数の面材をドア１０、４６、５０の幅方向に並列配置される構成としてもよい。
【０１１１】
また、上記した第１実施形態〜第３実施形態では、ドア１０、４６、５０は建物内部に形成されたドア開口部４の幅方向一側部を吊元側として、当該一側部を軸にドア１０、４６、５０の厚み方向に回転可能とされる構成としたが、本発明はこれに限らない。ドア１０、４６、５０を所謂引き戸として構成してもよい。
【０１１２】
また、上記した第１実施形態及び第２実施形態では、本体部１２を構成する内周フレーム３２に一対の側面突出部４０、４０を設け、平面部１８Ａのドア幅方向左右の側部に形成される切欠き部１８Ｃに嵌合させる構成としたが、本発明はこれに限らない。当該側面突出部４０及び切欠き部１８Ｃを設けない構成としてもよい。
【０１１３】
また、上記した第１実施形態及では、芯材３６をウレタン製としたが、本発明はこれに限らない。芯材３６をパイル材として構成し、本体部１２の剛性を第１面材１６及び第２面材１８と比べて低く設定してもよい。
【０１１４】
また、上記した第２実施形態では、本体部１２を内部に金属製の芯材４８が収納される構成とし、第１面材１６及び第２面材１８を無垢材によって構成されるものとしたが、本発明はこれに限らない。例えば、本体部１２を無垢材によって構成されるものとし、第１面材１６及び第２面材１８を内部にウレタン製の芯材が収納される板体として構成することにより、本体部１２の剛性を第１面材１６及び第２面材１８と比べて高く設定してもよい。
【符号の説明】
【０１１５】
２      壁
４      ドア開口部（開口部）
１０    ドア（内部建具）
１２    本体部
１４    内周縁
１６    第１面材(面材)
１８    第２面材(面材)
４６    ドア（内部建具）
５０    ドア（内部建具）
５２    第２面材(面材)
５４    第３面材(面材)
【図１】
2019183550.tif 000003
【図２】
2019183550.tif 000004
【図３】
2019183550.tif 000005
【図４】
2019183550.tif 000006
【図５】
2019183550.tif 000007
【図６】
2019183550.tif 000008
【図７】
2019183550.tif 000009
【図８】
2019183550.tif 000010
【図９】
2019183550.tif 000011